(57)【要約】【課題】無線通信システムにおいて、上りリンクを介してチャネル品質情報を送信する方法を提供すること。【解決手段】上りリンクを介して送信されるパケットにチャネル品質表示（ＣＱＩ）情報を付加することができる。下りリンク上のパワー配分を、下りリンク・チャネル品質情報フィードバックに基づいて制御することができる。パケットを復号化することができ、そのパケットに含まれる、下りリンクに関するチャネル品質表示（ＣＱＩ）情報を使用して、後続の送信のパワーを潜在的に修正することができる。チャネル品質表示（ＣＱＩ）情報を含む制御チャネルは、少なくとも１つのデータ・パケットを運ぶデータ・チャネルと一緒に、上りリンクを介して送信することができる。【選択図】図２ａ
2004282744.tif 000002
【特許請求の範囲】
【請求項１】
無線通信システムにおいて、上りリンクを介してチャネル品質情報を送信する方法であって、
パケットにチャネル品質表示（ＣＱＩ）情報を付加する工程と、
上りリンクを介してパケットを送信する工程とを含む方法。
【請求項２】
付加する工程がさらに、パケットのヘッダとしてＣＱＩ情報を付加する工程をさらに含み、このヘッダがＮ個の非１次セル用のＣＱＩ情報を運ぶ、請求項１に記載の方法。
【請求項３】
無線通信システムにおいて、上りリンクを介してチャネル品質情報を送信する方法であって、
チャネル品質表示（ＣＱＩ）情報を含む制御チャネル、および少なくとも１つのデータ・パケットを運ぶデータ・チャネルを送信する工程を含む方法。
【請求項４】
送信する工程がさらに、少なくとも２つの非１次セルに、下りリンクＣＱＩフィードバックを送信する工程を含む、請求項３に記載の方法。
【請求項５】
制御チャネルおよびデータ・チャネルが、少なくとも２つの非１次セルとソフト・ハンドオフを行う移動局によって送信される、請求項３に記載の方法。
【請求項６】
ＣＱＩ情報がパケット送信と一緒にしか送信されない、請求項１または３に記載の方法。
【請求項７】
無線通信システムにおいて、下りリンク上の送信パワーを配分する方法であって、
下りリンクに関するチャネル品質表示（ＣＱＩ）情報を含む受信されたパケットを復号化する工程と、
ＣＱＩ情報に基づいて後続の送信の送信パワーを修正する工程とを含む方法。
【請求項８】
最大Ｎ個の非１次セル用のＣＱＩ情報がパケットのヘッダに含められ、パケットが、２つ以上の非１次セルとソフト・ハンドオフを行う移動局から受信される、請求項７に記載の方法。
【請求項９】
無線通信システムにおいて、下りリンク上の送信パワーを配分する方法であって、
チャネル品質表示（ＣＱＩ）情報を含む制御チャネル、および少なくとも１つのデータ・パケットを運ぶデータ・チャネルを運ぶ送信を復号化する工程と、
ＣＱＩ情報に基づいて、後続の送信の送信パワーを修正する工程とを含む方法。
【請求項１０】
修正する工程がさらに、前記ＣＱＩ情報に基づいて、ＨＡＲＱ応答メッセージが送信される送信パワーを修正する工程を含み、このＣＱＩがＨＡＲＱ応答メッセージを送信する前に使用可能である、請求項７または９に記載の方法。
【発明の詳細な説明】
【技術分野】
【０００１】
本発明は、無線通信システムにおけるチャネル品質情報の送信、およびチャネル品質情報に基づく送信パワー配分に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：ユニバーサル移動体通信システム）やｃｄｍａ２０００  １ｘなどの第三世代（３Ｇ）無線通信システムを発展させるため、広範な取り組みが行われている。ＵＭＴＳにおけるＨＳＤＰＡ（ｈｉｇｈ−Ｓｐｅｅｄ  ｄｏｗｎｌｉｎｋ  ｐａｃｋｅｔ  ａｃｃｅｓｓ：高速ダウンリンク・パケット・アクセス）システム、および最近の１ｘ  ＥＶ−ＤＶ規格に反映されるこうした３Ｇの発展によって、音声と高速データの別個のしばしば相反するニーズを、完全に下位互換がとれるように同じキャリア上で、同時にかつ効率的にサポートするという課題への取り組みが始まっている。
【０００３】
こうした３Ｇシステムでは、たとえば無線インターネット・アプリケーションなど無線アプリケーションに関連する急速に進化するニーズを満たし、またＨＳＤＰＡをサポートするために、高速スケジューリング（Ｆａｓｔ  Ｓｃｈｅｄｕｌｉｎｇ）、ＡＭＣ（Ａｄａｐｔｉｖｅ  Ｍｏｄｕｌａｔｉｏｎ  ａｎｄ  Ｃｏｄｉｎｇ：適応変復調符号化）、ＨＡＲＱ（Ｈｙｂｒｉｄ  Ａｕｔｏｍａｔｅｄ  Ｒｅｐｅａｔ  Ｒｅｑｕｅｓｔ：ハイブリッド自動反復要求）などの性能向上技術が使用されている。高速スケジューリングは、セクタ・スループットを最大にするためのチャネル品質に依存したスケジューリング技術であり、たとえば、基地局がリソースを所与の時点において、チャネル品質に基づき１つまたは複数のユーザに割り当てる。ＡＭＣ技術によって、スケジュールされたユーザの実勢の（ｐｒｅｖａｉｌｉｎｇ）チャネル状態に最も「適した」データ速度および送信フォーマット（すなわち変調レベルおよびチャネル符号化速度）の選択が可能になる。
【０００４】
遅延および測定エラーによって、ＡＭＣによる性能が低下することがある。たとえば、ビットのブロックまたはパケットがＯＰＳＫ変調を用いて、コード・レート０．５で送出され、受信エラーになったと仮定する。そのパケットは、一般には変調方法を新しく適切に選んで、また一般には、少なくとも元の符号化された１組のビットからの新しい少数の「パリティ」ビットを付けて再送される。したがって、劣化を最小限に抑えるため、ＨＡＲＱ技術を使用して、物理層での高速再送信を行うことによって、一定レベルの堅牢さを実現することができる。
【０００５】
ＨＡＲＱでは、元の送信を廃棄するのではなく、それを新しい送信と組み合わせることができる。これによって、パケットを正確に復号化できる可能性が高まる。ＨＡＱＲでは、用語「ハイブリッド」は、ＡＲＱ技術に加えて、ＦＥＣ（Ｆｏｒｗａｒｄ  Ｅｒｒｏｒ  Ｃｏｒｒｅｃｔｉｏｎ：順方向エラー訂正）技術が使用されることを指す。ＨＡＲＱ組合せ方式は、再送信を、元の失敗した送信と組み合わせることを意味する。したがって、ＨＡＲＱは、復号化が失敗に終わった送信自体が無駄にならないようにするのに役立つ。
【０００６】
３Ｇ標準のさらなる展開に、（移動局から基地局への）高速上りリンク・パケット・アクセスが含まれる。これまで標準化の多くが、下りリンクに関する向上に焦点を当てたものであったが、現在は、上りリンクを対象とするものが考えられている。前記に論じた実現技術を上りリンクで使用して、たとえばデータ速度やシステム容量を向上させることもできる。
【０００７】
上りリンク上でのＨＡＲＱ操作をサポートするには、下りリンク上でのＡＣＫ／ＮＡＣＫ機構が必要である。単一の基地局とだけ通信するユーザには、ＨＡＲＱフィードバックを提供するために単一のＡＣＫ／ＮＡＣＫチャネルしか必要でない。たとえば複数の基地局と通信するソフト・ハンドオフ（ＳＨＯ：Ｓｏｆｔ  Ｈａｎｄｏｆｆ  ）ユーザの場合、そのＳＨＯの相手である全ての基地局からのＡＣＫ／ＮＡＣＫが必要である。少なくとも１つの基地局がパケットの受信を肯定応答した場合、ユーザはパケットの再送信を行わないので、これによって、ＳＨＯ利得の活用が可能になる。
【０００８】
ＣＤＭＡシステムでは、ユーザは、所与の時点で、複数の基地局と通信することができる。移動体が通信しているセル群は、アクティブ・セットと称される。一般に、最も強い信号を出す基地局が、一次セル（サービス・セル（ｓｅｒｖｉｎｇ  ｃｅｌｌ）とも称される）と宣言され、アクティブ・セット中の残りの基地局は、非一次セルすなわち非サービス・セルと称される。Ｆ−ＰＤＣＨ（Ｆｏｒｗａｒｄ  Ｐａｃｋｅｔ  Ｄａｔａ  Ｃｈａｎｎｅｌ：下りパケット・データ・チャネル）と呼ばれる、下りリンク上の高速データ・チャネルが、１次セルから送信される。移動体はセル間を移動するので、移動体のアクティブ・セットおよび１次セルが変わり得る。
【０００９】
上りリンクを介して、高速データ・チャネルを、アクティブ・セット中、またはアクティブ・セットのうちのサブセット中の全てのセル（１次セルおよび非１次セル）で受信することができる。したがって、アクティブ・セット中のセルは、ハイブリッドＡＲＱを用いて、高速送信に対してＡＣＫ／ＮＡＣＫできなければならない。ＨＡＲＱプロトコルを信頼性の高いものにするために、１次および非１次基地局は、信頼性の高い信号が受信されるように、ＨＡＲＱ応答シグナリング・メッセージに適したパワー・レベルを用いるべきである。ｃｄｍａ２０００改訂Ｃ規格である、Ｒ−ＣＱＩＣＨ（Ｒｅｖｅｒｓｅ  Ｃｈａｎｎｅｌ  Ｑｕａｌｉｔｙ  Ｉｎｄｉｃａｔｉｏｎ  Ｃｈａｎｎｅｌ：上りチャネル品質表示チャネル）のチャネルは、１次セルについてだけ、下りリンク（ＦＬ）のチャネル品質フィードバックを伝える。したがって、１次セルからのＨＡＲＱ応答にパワー配分する際に、このチャネル品質フィードバックを使用することもできる。しかし、従来、非１次セルについては、チャネル品質フィードバック情報が存在しない。
【００１０】
またＦＬパワー制御が行われている場合には、ＡＣＫパワー配分が問題になることもある。たとえば、音声／データの同時通信をサポートする移動局からの音声コールがＳＨＯされる場合がこれに当てはまる。ＣＤＭＡのＦＬパワー制御では、移動体が、少なくとも１つの基地局から、一定のパワー・レベルでＦＬ信号を受信することが保証される。少なくとも１つの基地局からの信号レベルが所望の閾値を超えている場合、移動体はパワーＤＯＷＮコマンドをすべての基地局に送る。したがって、ＦＬパワー制御では、応答信号に適したパワー配分が保証されない。この応答信号は、アクティブ・セット中の全ての基地局からのものが信頼性の高いものでなければならない。したがって、複数の基地局とＳＨＯを行うユーザ用の信頼性の高いＨＡＲＱ応答（ＡＣＫ／ＮＡＣＫ）を送信することができる機構が存在しない。
【発明の開示】
【発明が解決しようとする課題】
【００１１】
本発明は、無線通信システムにおいて、上りリンクを介してチャネル品質情報を送信する方法であり、この方法では、チャネル品質表示（ＣＱＩ）情報を上りリンクを介して送信されるパケットに付加することができる。
【課題を解決するための手段】
【００１２】
例示的な一実施形態では、下りリンクに関するパワー配分を、下りリンク・チャネル品質情報フィードバックに基づいて制御することができる。パケットを復号化することができ、パケットに含まれる、下りリンクに関するチャネル品質表示（ＣＱＩ）情報を使用して、後続の送信のパワーを潜在的に修正することができる。別の例示的な実施形態では、チャネル品質表示（ＣＱＩ）情報を含む制御チャネルを、少なくとも１つのデータ・パケットを運ぶデータ・チャネルと一緒に、上りリンクを介して送信することができる。
【００１３】
本発明の例示的な実施形態は、以下に示す詳細な説明および添付の図面から十分に理解されよう。図面では、同様の要素を同じ参照番号で示す。これらの図面は、例示のために示したものにすぎず、したがって、本発明の例示的な諸実施形態を限定するものではない。
【発明を実施するための最良の形態】
【００１４】
以下の説明は、最近承認されたｃｄｍａ２０００  １ｘ  ＥＶ−ＤＶ規格（ｃｄｍａ２０００  リリースＣ）に従って動作する無線通信システムに基づいて説明することができる。１ｘ  ＥＶ−ＤＯとは異なり、このｃｄｍａ２０００  １ｘ  ＥＶ−ＤＶ規格では、ＣＤＭＡ  Ｏｎｅおよびｃｄｍａ２０００  １ｘとの下位互換をとりながら、音声をそれと同時のパケット・データ・サービスと統合して、３．１Ｍｂｐｓまでの速度で提供するために、単一の１．２５ＭＨｚチャネル上で音声とデータを組み合わせる。本発明の例示的な諸実施形態について、こうした例示的な背景において説明するが、本明細書に示し説明する例示的な諸実施形態は、決して限定的ではなく、例示的なものにすぎない。したがって、たとえばＨＤＳＰＡ（ｈｉｇｈ−ｓｐｅｅｄ  ｄｏｗｎｌｉｎｋ  ｐａｃｋｅｔ  ａｃｃｅｓｓ：高速ダウンリンク・パケット・アクセス）システム仕様に反映されている、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ユニバーサル移動体通信システム）などの他の通信システムに応用するための様々な修正が当業者には明らかであり、また本明細書の教示では、それが企図されている。
【００１５】
移動局は、以下で用いる場合、ユーザにデータ接続を提供する装置である。移動局は、ラップトップ、パーソナル・コンピュータ（ＰＣ）などのコンピューティング装置に接続しても、ＰＤＡ（ｐｅｒｓｏｎａｌ  ｄｉｇｉｔａｌ  ａｓｓｉｓｔａｎｔ：携帯情報端末）やセルラー電話などの自己完結型のデータ装置でもよい。したがって、移動局は、アクセス・ターミナル、無線モバイル、遠隔ステーション、ユーザ、ユーザ装置（ＵＥ）、加入者、無線通信ネットワーク上の無線リソースの他の任意の遠隔ユーザに相当し、またそのように称されることもある。
【００１６】
さらに、基地局は、ＰＳＤＮ（ｐａｃｋｅｔ  ｓｗｉｔｃｈｅｄ  ｄａｔａ  ｎｅｔｗｏｒｋ：パケット交換データ・ネットワーク）またはＩＳＤＮ（インターネットなど）と、１つまたは複数の移動局の間のデータ接続を提供するネットワーク装置を指す。基地局は、基地送信局、ノードＢ、アクセス・ネットワーク、ＲＡＮ（ｒａｄｉｏ  ａｃｃｅｓｓ  ｎｅｔｗｏｒｋ：無線アクセス・ネットワーク）に相当するものであり、またそのように称されることもある。アクセス・ネットワーク／ＲＡＮは、１つまたは複数の基地局で構成されることもある。
【００１７】
下りリンク・チャネル品質フィードバック情報を、ユーザの（移動局の）アクティブ・セット（一次セルおよび非一次セルなど）中の全ての基地局に提供することができれば、上記のＨＡＲＱパワー配分に伴う問題を回避することができよう。チャネル品質情報は、符号化パケット（ｅｎｃｏｄｅｒ  ｐａｃｋｅｔ）の一部としてインバンドで運ぶことも、パケット送信と一緒に送信される上りリンク制御チャネルに含めて運ぶこともできる。
【００１８】
図１は、例示的な無線通信システム１００のブロック図である。システム１００は、基地局１１５と通信する、１つまたは複数の移動局１０５を含むことができる。移動局１０５は、基地局１１５を介して通信して、インターネット１２０または他のパケット・データ・ネットワーク１２５、たとえば閉じた企業ネットワーク（イントラネットなど）とパケット・データを交換することができる。パケット・データの例には、ウェブ・ページのアクセスや電子メールの取出しなどのアプリケーションに使用されるインターネット・プロトコル（ＩＰ）データグラムが含まれ得る。こうしたパケット・データのアプリケーションを、移動局１０５上で、または移動局１０５を無線モデムとして使用する別個のコンピュータ装置上で実行することができる。例示的な一実施形態では、移動局１０５は、無線インターフェイスを介して無線ネットワーク１１５と通信することができ、この無線インターフェイスは、たとえば１組の下りチャネルおよび上りチャネルでよい。これを、下りリンク１０７および上りリンク１１０として示す。
【００１９】
基地局１１５は、単一の基地局および基地局制御装置で構成することができ、複数の別個に設置された無線基地局、たとえば集約基地局（ａｇｇｒｅｇａｔｅ  ｂａｓｅ  ｓｔａｔｉｏｎ）１１５として相互に接続された、アクセス・ネットワークおよび基地局制御装置を含むことができる。それぞれの基地局は、移動局１０５とデータを交換するために使用する、所定の数のトラフィック・チャネルを含むことができる。トラフィック・チャネルのうちの１つが移動局１０５に割り当てられると、その移動局１０５を、アクティブ移動局１０５と称することができる。少なくとも１つのトラフィック・チャネルが、それぞれのアクティブ移動局１０５に割り当てられる。基地局１１５は、Ｔ１／Ｅ１、ＳＴＭ−ｘなどのバックホール設備（ｂａｃｋ−ｈａｕｌ  ｆａｃｉｌｉｔｙ）、あるいは無線または有線のＴ１またはＴ３、光ファイバ接続、イーサネット（登録商標）など任意の他の適切なタイプのネットワーク接続を使用して、パケット・データ・ネットワーク１２０と接続することができる。基地局１１５は、複数のタイプの複数のパケット・データ・ネットワークに接続することができる。たとえば、別のネットワーク１２５は、イントラネットではなく、データ・サービスＩＷＦ（ｉｎｔｅｒ−ｗｏｒｋｉｎｇ  ｆｕｎｃｔｉｏｎ：相互接続機能）を介して基地局１１５に接続されたＰＳＴＮ（ｐｕｂｌｉｃ  ｓｗｉｔｃｈｅｄ  ｔｅｌｅｐｈｏｎｅ  ｎｅｔｗｏｒｋ：公衆交換電話網）でもよい。
【００２０】
図２（ａ）および２（ｂ）に、本発明の一実施形態によるスケジュール送信モード（ｓｃｈｅｄｕｌｅｄ  ｍｏｄｅ  ｏｆ  ｔｒａｎｓｍｉｓｓｉｏｎ）および上りリンク・パケット送信のタイミングを示す。移動局１０５が、スケジュール送信モードである、すなわち上りリンク（ＲＬ）に関するパケット・スケジューリングをサポートするためのモードになっている場合、移動体の識別および他の制御情報に関する情報を含むスケジューリング許可（ｓｃｈｅｄｕｌｉｎｇ  ｇｒａｎｔ）を、下りリンク（ＦＬ）を介して送らなければならない。ｃｄｍａ２０００改訂Ｄ案では、Ｆ−ＵＳＣＨ（Ｆｏｒｗａｒｄ−Ｕｐｌｉｎｋ  Ｓｃｈｅｄｕｌｉｎｇ  Ｃｈａｎｎｅｌ：下りアップリンク・スケジューリング・チャネル）と称されるコード多重化制御チャネルによって、Ｒ−ＳＣＨ（Ｒｅｖｅｒｓｅ  Ｓｕｐｐｌｅｍｅｎｔａｌ  Ｃｈａｎｎｅｌ：上り補助チャネル）フレームのデータを送信するようにスケジュールされた移動体に対するスケジューリング許可が、下りリンクを介して運ばれる。
【００２１】
図２（ａ）および２（ｂ）に示すように、移動局１０５は、下りリンクを介したスケジューリング許可メッセージに応答して、上りリンクを介して、Ｒ−ＳＣＨフレームのデータ・パケットを送信する。図２（ｂ）および以下に詳述する本発明の例示的な諸実施形態によれば、上りリンク制御チャネル、本明細書では上りパケット・データ制御チャネル（Ｒ−ＰＤＣＣＨ：Ｒｅｖｅｒｓｅ  Ｐａｃｋｅｔ  Ｄａｔａ  Ｃｏｎｔｒｏｌ  Ｃｈａｎｎｅｌ）と称するものを定義することができる。ＳＨＯを行うユーザからの上りリンク・パケット送信についてのＲ−ＰＤＣＣＨを運ぶことができる。制御チャネルは通常、符号化パケット・フォーマット表示（データ速度など）などの情報およびＡＲＱチャネルＩＤやサブバケットＩＤなどのＨＡＲＱに関する情報を運び、Ｒ−ＳＣＨと一緒に送信される。
【００２２】
図３に、本発明の例示的な一実施形態による、自律送信モード（ａｕｔｏｎｏｍｏｕｓ  ｍｏｄｅ  ｏｆ  ｔｒａｎｓｍｉｓｓｉｏｎ）を示す。自律モードでは、移動局１０５は、基地局１１５からのスケジューリング許可送信を必要とせずに、送信を実施することができる。
【００２３】
図４（ａ）から４（ｅ）に、本発明の例示的な一実施形態による、複数セルからのＨＡＲＱ送信のシナリオを示す。複数の基地局とＳＨＯを行う移動局用の信頼性の高いＨＡＲＱ応答（ＡＣＫ／ＮＡＣＫ）送信を可能にする、本発明の例示的な諸実施形態による方法を説明するための背景を提供するために、これらの図に、パケットの受信に応答する際に使用するＨＡＲＱプロトコルを示す。
【００２４】
図４（ａ）で、パケット１がＢＳ２によって肯定応答され、したがって、移動局がパケット２をＢＳ１およびＢＳ２に送信する。しかし、ＢＳ１は、エラーのため、パケット１を正しく復号化することができず、したがってＮＡＣＫを送信する。しかし、ＢＳ２でパケットが正常に受信されていたので、ＭＳがパケット１をＢＳ１に再送する必要はなく、ＢＳ２が正しく受信したパケットをネットワークに転送する。図４（ｂ）では、ＢＳ１とＢＳ２の両方で、パケット１がエラーで受信された後、再送される。図４（ｃ）では、パケット１がＢＳ１とＢＳ２で正しく受信される。図４（ｄ）では、ＢＳ１へのパケット１の送信、およびＢＳ２からＭＳへのＨＡＲＱ応答がエラーになっている。これは、ＢＳ２からのＡＣＫが不適切なパワー・レベルで送信され、したがって、ＨＡＲＱ  ＡＣＫメッセージが送信中に失われたことを示している。図４（ｅ）で、ＭＳが、ＢＳ１とＢＳ２の両方用のＣＱＩを、パケット１の送信と一緒に送信する。ＢＳ２で、パケット１が正常に受信され、ＢＳ２は、ＡＣＫ送信のためパケット１に含まれるＣＱＩ情報を用いて、パケット１を肯定応答する。
【００２５】
図５は、本発明の例示的な一実施形態による方法を示すフローチャートである。下りリンクＣＱＩフィードバックを１つまたは複数の基地局に提供するため、移動局１０５は、パケットの一部として、インバンドでチャネル品質情報を送信することができる。図５を参照すると、複数の非一次セル（アクティブ・セットに属する非サービス基地局１１５）用のチャネル品質表示（ＣＱＩ）情報を、符号化パケットのヘッダとして付加することができる（Ｓ５１０）。次いで、複数の非一次セルとＳＨＯを行うことができる移動局１０５が、上りリンクを介してパケットを送信する（Ｓ５２０）。ＣＱＩ情報は、パケット送信に付けてしか送信されないので、複数のセルにチャネル品質フィードバックを送信するためのリソースの効率を向上させることができる。複数のＣＱＩチャネルは必要ないので、それによって、オーバヘッドおよび他の送信との激しい衝突や干渉が潜在的に低減することになる。
【００２６】
基地局１１５は、符号化パケットを復号化する（Ｓ５３０）。これは、こうした非一次セルがＨＡＲＫ  ＡＣＫメッセージを移動局１０５に送信する前に行うことができる。したがって、非サービス基地局は、送信パワーを調整または修正して（Ｓ５４０）から、ＣＱＩ情報に基づいて、その後のＨＡＲＱ応答シグナリング・メッセージを送信する（Ｓ５５０）ことができ、それによって、リソースが節約される。下記の表１に、８ビットのＣＱＩヘッダ・フィールドの場合の例示的な符号化パケット・ビットを示す。
【表１】
2004282744.tif 000003
【００２７】
図６（ａ）および６（ｂ）に、図５の方法によるＣＱＩフィールド・フォーマットを示す。図６（ａ）では、ヘッダは、最大Ｎ個の非一次セル用のＣＱＩ情報を運ぶことができる。説明のため、図６（ａ）に、２、４および６個の非一次セル（非サービス基地局）用のＣＱＩ情報を運ぶ、符号化パケットの８、１６および２４ビットのヘッダを示す。
【００２８】
したがって、複数のＣＱＩをインバンドで送信する場合、１、２、３…Ｎ個の追加のバイトを、同一場所に位置していない（ｎｏｎ−ｃｏ−ｌｏｃａｔｅｄ）複数のセクタ（すなわち非一次セル／非サービス基地局）とＳＨＯを行う移動局によって送信される、それぞれの符号化パケットに付加することができる。所与の符号化パケットの復号化に成功した後は、基地局がその符号化パケットについてＨＡＲＱ  ＡＣＫメッセージを送信する前に、そのＣＱＩ情報を非サービス基地局で使用することができる。したがって、ＣＱＩ情報に基づいて、基地局は、ＨＡＲＱ  ＡＣＫメッセージが送信されるパワーを修正することができる。どのＣＱＩフィールド・フォーマットが使用されるかに関する情報は、オーダ・メッセージ（ＯＤＭ：ｏｒｄｅｒ  ｍｅｓｓａｇｅ）など、より上の層のメッセージを介して、移動局１０５に伝えることができる。図６（ｂ）に、複数の基地局用のＣＱＩを運ぶために、異なるヘッダ・フォーマットを使用できることが示されている。図６（ｂ）の例では、２ビットのヘッダ・フォーマット・タイプのフィールドは、最大４個の異なるヘッダ・フォーマットを示すが、本発明の例示的な諸実施形態によれば、Ｎ個の異なるヘッダ・フォーマットが予想できることが理解されよう。
【００２９】
図７は、本発明の別の例示的な実施形態による方法を示すフローチャートである。１つまたは複数の基地局に下りリンクＣＱＩフィードバックを提供するために、移動局１０５は、チャネル品質情報を、パケット送信と一緒に送られる上りリンク制御チャネルに含めて送信することができる。
【００３０】
図７を参照すると、複数の非一次セル（アクティブ・セット中の非サービス基地局１１５）とソフト・ハンドオフを行う移動局１０５が、上りリンク１１０を介して制御チャネルを送信する（Ｓ７１０）。制御チャネルは、チャネル品質表示（ＣＱＩ）情報を含み、１つまたは複数のデータ・パケットを複数の非一次セルに運ぶデータ・チャネルと一緒に送信される。前記の例示的な実施形態と同様に、複数のセル用のＣＱＩ情報は、パケット送信と一緒にしか送られない。
【００３１】
非一次セル（基地局１１５）は、チャネル品質表示（ＣＱＩ）情報を含む制御チャネル、およびデータ・チャネルを復号化する（Ｓ７２０）。ＣＱＩ情報に基づいて、移動局１０５とＳＨＯを行う基地局１１５は、後続の送信のパワー、たとえばＨＡＲＱ応答メッセージが送信されるパワーを調整または修正することができる。これが可能になるのは、非サービス基地局が下りリンク１０７を介してＨＡＲＱ応答シグナリング・メッセージ（ＡＣＫ／ＮＡＣＫ）を送信する前に、下りリンク・チャネル品質情報を使用できるからである。ＣＱＩ情報は、パケット送信（制御チャネルおよびパケットを運ぶデータ・チャネル）と一緒にしか送信されないので、チャネル品質フィードバックを複数のセルに送信するための、リソースの効率を高めることができる。複数のＣＱＩチャネルは必要ないので、それによって、オーバヘッドおよび他の送信への干渉が潜在的に低減する。
【００３２】
図８に、図７の方法に従って複数の基地局用のＣＱＩを運ぶフレームを示す。この例示的な実施形態では、複数のＣＱＩが上りリンク制御チャネルを介して運ばれる。本明細書では、リバース・パケット・データ制御チャネル（Ｒ−ＰＤＣＣＨ）と称する、ＳＨＯを行うユーザからの上りリンク・パケット送信についての上りリンク制御チャネルを運ぶことができる。制御チャネルは一般に、符号化パケット・フォーマット表示（データ速度など）およびＡＲＱチャネルＩＤやサブパケットＩＤなどのＨＡＲＱ関連の情報を運ぶ。Ｒ−ＰＤＣＣＨは、ＲＬ上で、Ｒ−ＳＣＨ送信に付けることができ、一般に、Ｒ−ＳＣＨフレームと同じ時間長であり得る。Ｒ−ＰＤＣＣＨ上のＨＡＲＱ情報は、非一次セルが符号化パケットを正確に復号化するのを助ける。
【００３３】
Ｒ−ＰＤＣＣＨのフォーマットをさらに拡張して、複数の基地局用のＣＱＩを含めることができる。符号化パケットを正確に復号化するには、所与の基地局で、Ｒ−ＰＤＣＣＨ送信が正常に復号化されなければならない。したがって、基地局がＨＡＲＱ応答メッセージを送信する前に、すなわち符号化パケットが正常に復号化される前に、下りリンク・チャネル品質に関する情報が基地局で使用できなければならない。
【００３４】
本発明の例示的な諸実施形態について上記に述べたが、これらは、多くの点で変更され得ることが明らかであろう。たとえば、本発明の例示的な諸実施形態を、移動局のアクティブ・セット中の非１次セルに対して、上りリンクを介してチャネル品質情報を送信する方法を対象とするものとして説明した。しかし、符号化パケットに付加するヘッダおよび／またはＲ−ＰＤＣＣＨに含まれるＣＱＩ情報は、１次セルすなわち最も強い信号を出す基地局、つまりサービス・セル用のＣＱＩ情報を含むこともできることを理解されたい。こうした変形形態は、本発明の例示的な諸実施形態の精神および範囲からの逸脱とみなされるべきではなく、当業者には明らかなように、こうしたすべての修正は、以下の特許請求の範囲に含まれるものである。
【図面の簡単な説明】
【００３５】
【図１】例示的な無線通信システムの図である。
【図２ａ】本発明の例示的な一実施形態による、スケジュール送信モードおよび上りリンク・パケット送信のタイミングを示す図である。
【図２ｂ】本発明の例示的な一実施形態による、スケジュール送信モードおよび上りリンク・パケット送信のタイミングを示す図である。
【図３】本発明の例示的な一実施形態による、自律送信モードを示す図である。
【図４ａ】本発明の例示的な一実施形態による、複数のセルからのＨＡＲＱ送信のシナリオを示す図である。
【図４ｂ】本発明の例示的な一実施形態による、複数のセルからのＨＡＲＱ送信のシナリオを示す図である。
【図４ｃ】本発明の例示的な一実施形態による、複数のセルからのＨＡＲＱ送信のシナリオを示す図である。
【図４ｄ】本発明の例示的な一実施形態による、複数のセルからのＨＡＲＱ送信のシナリオを示す図である。
【図４ｅ】本発明の例示的な一実施形態による、複数のセルからのＨＡＲＱ送信のシナリオを示す図である。
【図５】本発明の例示的な一実施形態による方法を示すフローチャートである。
【図６ａ】図５の方法によるＣＱＩフィールド・フォーマットを示す図である。
【図６ｂ】図５の方法によるＣＱＩフィールド・フォーマットを示す図である。
【図７】本発明の例示的な別の実施形態による方法を示すフローチャートである。
【図８】図７の方法による、複数の基地局用のＣＱＩを運ぶフレームを示す図である。
【図１】
2004282744.tif 000004
【図２ａ】
2004282744.tif 000005
【図２ｂ】
2004282744.tif 000006
【図３】
2004282744.tif 000007
【図４ａ】
2004282744.tif 000008
【図４ｂ】
2004282744.tif 000009
【図４ｃ】
2004282744.tif 000010
【図４ｄ】
2004282744.tif 000011
【図４ｅ】
2004282744.tif 000012
【図５】
2004282744.tif 000013
【図６ａ】
2004282744.tif 000014
【図６ｂ】
2004282744.tif 000015
【図７】
2004282744.tif 000016
【図８】
2004282744.tif 000017